【手続補正書】
【提出日】平成18年5月23日(2006.5.23)
【手続補正１】
【補正対象書類名】明細書
【補正対象項目名】発明の名称
【補正方法】変更
【補正の内容】
【発明の名称】モータ
【手続補正２】
【補正対象書類名】明細書
【補正対象項目名】特許請求の範囲
【補正方法】変更
【補正の内容】
【特許請求の範囲】
【請求項１】
モータベースと、ベアリングを備えて該モータベースに取り付けられたベアリングホルダと、を含んでなるステータと、
一端側にロータが取り付けられ、前記ベアリングを介して前記ベアリングホルダに対して回転自在に取り付けられた軸と、
前記ロータに対して前記ベアリングホルダを挟んで前記軸の他端側に設けられた軸抜け止め機構と、を備えたモータにおいて、
前記軸抜け止め機構は、
前記軸に形成された溝と、
貫通孔を有して前記溝に嵌合した樹脂製のスラストリングと、
前記ベアリングホルダの前記ロータとは反対側の端部に形成された非円形形状に凹む収納凹部と、
該収納凹部の前記非円形形状に対応する外形を有して前記収納凹部に収納された座金と、を含み、
前記軸の前記ロータ側への移動が前記スラストリングと前記座金との当接によって規制されるよう構成されてなることを特徴とするモータ。
【請求項２】
前記スラストリングは径方向に弾性を有することを特徴とする請求項１記載のモータ。
【請求項３】
モータベースと、ベアリングを備えて該モータベースに取り付けられたベアリングホルダと、を含んでなるステータと、
一端側にロータが取り付けられ、前記ベアリングを介して前記ベアリングホルダに対して回転自在に取り付けられた軸と、
前記ロータに対して前記ベアリングホルダを挟んで前記軸の他端側に設けられた軸抜け止め機構と、を備えたモータにおいて、
前記軸抜け止め機構は、
前記軸に形成された溝と、
貫通孔を有して前記溝に嵌合し前記軸と一体に回転するリング状部材と、
前記ベアリングホルダの前記ロータとは反対側の端部に、回転を規制されて配設された金属板と、を含んで成り、
前記軸の前記ロータ側への移動が前記リング状部材と前記金属板との当接によって規制されるよう構成されてなることを特徴とするモータ。
【請求項４】
モータベースと、ベアリングを備えて該モータベースに取り付けられたベアリングホルダと、を含んでなるステータと、
一端側にロータが取り付けられ、前記ベアリングを介して前記ベアリングホルダに対して回転自在に取り付けられた軸と、
前記ロータに対して前記ベアリングホルダを挟んで前記軸の他端側に設けられた、前記軸の抜け止め機構と、を備えたモータにおいて、
前記抜け止め機構は、
前記軸に形成された溝と、
貫通孔を有して前記溝に嵌合した樹脂製のスラストリングと、
外周に円筒片を有し、前記ベアリングホルダの前記ロータとは反対側の端部に、前記円筒片が前記ベアリングホルダの外周部に圧入により固定された座金と、を含んで成り、
前記軸の前記ロータ側への移動が前記スラストリングと前記座金との当接によって規制されるよう構成されてなることを特徴とするモータ。
【請求項５】
前記ベアリングホルダの前記外周部に円周溝を有することを特徴とする請求項４記載のモータ。
【請求項６】
前記軸は前記溝を複数有する一方、前記スラストリングの前記貫通孔の内面には複数の凸状リブが形成されており、
該複数の凸状リブは複数の前記溝にそれぞれ嵌合していることを特徴とする請求項４または請求項５記載のモータ。
【手続補正３】
【補正対象書類名】明細書
【補正対象項目名】０００６
【補正方法】変更
【補正の内容】
【０００６】
上記目的を達成するために、本願発明は以下の１）乃至６）の手段を有する。
１）  モータベースと、ベアリングを備えて該モータベースに取り付けられたベアリングホルダと、を含んでなるステータと、
一端側にロータが取り付けられ、前記ベアリングを介して前記ベアリングホルダに対して回転自在に取り付けられた軸と、
前記ロータに対して前記ベアリングホルダを挟んで前記軸の他端側に設けられた軸抜け止め機構と、を備えたモータにおいて、
前記軸抜け止め機構は、
前記軸に形成された溝と、
貫通孔を有して前記溝に嵌合した樹脂製のスラストリングと、
前記ベアリングホルダの前記ロータとは反対側の端部に形成された非円形形状に凹む収納凹部と、
該収納凹部の前記非円形形状に対応する外形を有して前記収納凹部に収納された座金と、を含み、
前記軸の前記ロータ側への移動が前記スラストリングと前記座金との当接によって規制されるよう構成されてなることを特徴とするモータである。
【手続補正４】
【補正対象書類名】明細書
【補正対象項目名】０００７
【補正方法】変更
【補正の内容】
【０００７】
２）  前記スラストリングは径方向に弾性を有することを特徴とする１）に記載のモータである。
【手続補正５】
【補正対象書類名】明細書
【補正対象項目名】０００８
【補正方法】変更
【補正の内容】
【０００８】
３） モータベースと、ベアリングを備えて該モータベースに取り付けられたベアリングホルダと、を含んでなるステータと、
一端側にロータが取り付けられ、前記ベアリングを介して前記ベアリングホルダに対して回転自在に取り付けられた軸と、
前記ロータに対して前記ベアリングホルダを挟んで前記軸の他端側に設けられた軸抜け止め機構と、を備えたモータにおいて、
前記軸抜け止め機構は、
前記軸に形成された溝と、
貫通孔を有して前記溝に嵌合し前記軸と一体に回転するリング状部材と、
前記ベアリングホルダの前記ロータとは反対側の端部に、回転を規制されて配設された金属板と、を含んで成り、
前記軸の前記ロータ側への移動が前記リング状部材と前記金属板との当接によって規制されるよう構成されてなることを特徴とするモータである。
【手続補正６】
【補正対象書類名】明細書
【補正対象項目名】０００９
【補正方法】変更
【補正の内容】
【０００９】
４）  モータベースと、ベアリングを備えて該モータベースに取り付けられたベアリングホルダと、を含んでなるステータと、
一端側にロータが取り付けられ、前記ベアリングを介して前記ベアリングホルダに対して回転自在に取り付けられた軸と、
前記ロータに対して前記ベアリングホルダを挟んで前記軸の他端側に設けられた、前記軸の抜け止め機構と、を備えたモータにおいて、
前記抜け止め機構は、
前記軸に形成された溝と、
貫通孔を有して前記溝に嵌合した樹脂製のスラストリングと、
外周に円筒片を有し、前記ベアリングホルダの前記ロータとは反対側の端部に、前記円筒片が前記ベアリングホルダの外周部に圧入により固定された座金と、を含んで成り、
前記軸の前記ロータ側への移動が前記スラストリングと前記座金との当接によって規制されるよう構成されてなることを特徴とするモータである。
【手続補正７】
【補正対象書類名】明細書
【補正対象項目名】００１０
【補正方法】変更
【補正の内容】
【００１０】
５）  前記ベアリングホルダの前記外周部に円周溝を有することを特徴とする４）に記載のモータである。
【手続補正８】
【補正対象書類名】明細書
【補正対象項目名】００１１
【補正方法】変更
【補正の内容】
【００１１】
６）  前記軸は前記溝を複数有する一方、前記スラストリングの前記貫通孔の内面には複数の凸状リブが形成されており、
該複数の凸状リブは複数の前記溝にそれぞれ嵌合していることを特徴とする４）または５）に記載のモータである。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】